(57)【要約】【課題】  家屋天井と直下に配した家具の頂部間に、それ自体の重みで係止させてハンガー、物干し具等を吊下げられるようにする。【解決手段】  一辺が家屋天井Ｃと直下に配した家具Ｆの頂部間の間隔Ｄに比較して大なる外形略三角形状枠体２で構成する。  前記枠体２は、外形が隅角部を適宜な曲率半径の円角部とした直角三角形であって、適宜な合成樹脂で構成する。  また前記枠体２の外形をなす外縁２Ｅは、枠体２の肉厚に比較して幅広く構成し、直角をなす隅角部２Ａ以外の隅角部２Ａ，２Ａ近傍に、物干し４の吊具４ｆを挿通する挿通穴５を形成する。また、挿通穴５に近接して、幅狭の狭縁部６を形成する。【選択図】              図１
2005111005.tif 000002
【特許請求の範囲】
【請求項１】
少なくとも一辺が家屋天井と直下に配した家具の頂部間の間隔に比較して大なる外形略三角形状枠体で構成し、前記枠体の外縁を、枠体の厚さに比較して幅広く構成し、前記家屋天井と直下に配した家具の頂部間に、前記枠体の隅角部のうちの一つの隅角部の外縁を前記家具の頂部上に載置して、他方の隅角部のうちの一方を天井に当てて残りの隅角部を前記家具前方に突出させた状態で係止し、この家具前方に突出させた隅角部に、物を吊下げる構成としたことを特徴とする屋内吊下装置。
【請求項２】
前記隅角部に、物を吊下げる吊具を挿通する挿通穴を形成し、前記家具前方に突出させた隅角部における挿通穴に、前記吊具を挿通して、物を吊下げる構成としたことを特徴とする請求項１記載の屋内吊下装置。
【請求項３】
前記隅角部近傍の外縁を幅狭に形成したことを特徴とする請求項２記載の屋内吊下装置。
【請求項４】
少なくとも一辺が家屋天井と直下に配した家具の頂部間の間隔に比較して大なる外形略三角形状枠体で構成し、前記枠体の外縁を、枠体の厚さに比較して幅広く構成し、前記隅角部に挿通穴を形成し、前記枠体を複数用意して、前記隅角部における挿通穴に連結杆を挿通して前記枠体同士を連結して前記連結杆に物を吊下げる構成としたことを特徴とする屋内吊下装置。
【請求項５】
少なくとも一辺が家屋天井と直下に配した家具の頂部間の間隔に比較して大なる複数の外形略三角形状枠体と、これら枠体をそれぞれの隅角部間を連結した連結杆とで構成し、家屋天井と直下に配した家具の頂部間に、前記枠体の隅角部のうちの一つの隅角部の外縁を前記家具の頂部上に載置して、他方の隅角部のうちの一方を天井に当てて残りの隅角部を前記家具前方に突出させた状態で係止し、この家具前方に突出させた隅角部間を連結する連結杆に、物を吊下げる構成としたことを特徴とする屋内吊下装置。
【請求項６】
前記枠体の外縁を、枠体の厚さに比較して幅広く構成したことを特徴とする請求項５記載の屋内吊下装置。
【請求項７】
前記連結杆は伸縮可能に構成したことを特徴とする請求項５記載の屋内吊下装置。
【請求項８】
前記枠体は直角三角形であることを特徴とする請求項１、４、５、６記載のうち、いずれか１記載の屋内吊下装置。
【請求項９】
前記枠体は鈍角三角形であることを特徴とする請求項１、４、５、６記載のうち、いずれか１記載の屋内吊下装置。
【発明の詳細な説明】
【技術分野】
【０００１】
本発明は、家屋天井と直下に配した家具の頂部間に、それ自体の重みで係止させてハンガー、物干し具等を吊下げられるようにした屋内吊下装置に関するものである。
【背景技術】
【０００２】
例えば、梅雨時や、突然の降雨時、屋外ベランダ等に干した洗濯物を取り込まなくてはならないときなど、洗濯物を吊下げた物干し具を室内に取り込んだ際に、まだ洗濯物が乾かないようなときは、そのまま物干し具に洗濯物を吊した状態で、室内の適所に吊下げておくようにしてきた。
しかしながら、室内では、適当な吊下げスペースや、吊下げ手段というのは、意外に少ない。
特にいわゆるマンション等、集合住戸では、外装、内装を含め、自由に改造するということは制限されているということもあり、また洗濯物を吊下げることができるように、わざわざ特定の箇所の壁などを加工して適当な吊手手段等を取り付けるということも躊躇されるところではあった。
【０００３】
そこで、洗濯物を室内でも干しておくことができるように、適当な床置き式のものや、ラック等の物干し器が市販されている。
【０００４】
このような物として、室内物干し具の例を挙げてみると、
【特許文献１】（実開平７−２４２９７号公報）  この室内物干し具では、エアコンの室内機を利用して取り付ける構成としている。すなわち、左右の支持具を複数の吸着盤によりエアコン本体の側面に固定し、吊下げ具を左右の支持具に架橋状に配置したというものである。
【発明の開示】
【発明が解決しようとする課題】
【０００５】
上述のような室内物干し具によれば、洗濯物の乾燥が早く、場所を取らず、取り付け取り外しが容易に行うことができるとしている。
しかしながら、上記物干し具は、エアコン本体にしか取り付けることができないという、限られたものであり、室内どこでも洗濯物が干せるというわけではない。
本発明はこのような背景から、提案されたものであって、手軽に洗濯物類を家具などを配置した室内の適所に吊下げておけるようにした、屋内吊下装置を提供することを目的とする。
【課題を解決するための手段】
【０００６】
前記した課題を解決するために、本発明では、請求項１において、少なくとも一辺が家屋天井と直下に配した家具の頂部間の間隔に比較して大なる外形略三角形状枠体で構成し、前記枠体の外縁を、枠体の厚さに比較して幅広く構成し、前記家屋天井と直下に配した家具の頂部間に、前記枠体の隅角部のうちの一つの隅角部の外縁を前記家具の頂部上に載置して、他方の隅角部のうちの一方を天井に当てて残りの隅角部を前記家具前方に突出させた状態で係止し、この家具前方に突出させた隅角部に、物を吊下げる構成とした屋内吊下装置を提案する。。
また本発明では、請求項２において、前記隅角部に、物を吊下げる吊具を挿通する挿通穴を形成し、前記家具前方に突出させた隅角部における挿通穴に、前記吊具を挿通して、物を吊下げる構成とした屋内吊下装置を提案する。
また本発明では、請求項３において、前記隅角部近傍の外縁を幅狭に形成した屋内吊下装置を提案する。
また本発明では、請求項４において、少なくとも一辺が家屋天井と直下に配した家具の頂部間の間隔に比較して大なる外形略三角形状枠体で構成し、前記枠体の外縁を、枠体の厚さに比較して幅広く構成し、前記隅角部に挿通穴を形成し、前記枠体を複数用意して、前記隅角部における挿通穴に連結杆を挿通して前記枠体同士を連結して前記連結杆に物を吊下げる構成とした屋内吊下装置を提案する。
また本発明では、請求項５において、少なくとも一辺が家屋天井と直下に配した家具の頂部間の間隔に比較して大なる複数の外形略三角形状枠体と、これら枠体をそれぞれの隅角部間を連結した連結杆とで構成し、家屋天井と直下に配した家具の頂部間に、前記枠体の隅角部のうちの一つの隅角部の外縁を前記家具の頂部上に載置して、他方の隅角部のうちの一方を天井に当てて残りの隅角部を前記家具前方に突出させた状態で係止し、この家具前方に突出させた隅角部間を連結する連結杆に、物を吊下げる構成とした屋内吊下装置を提案する。
また本発明では、請求項６において、前記枠体の外縁を、枠体の厚さに比較して幅広く構成した屋内吊下装置を提案する。
また本発明では、請求項７において、前記連結杆は伸縮可能に構成した屋内吊下装置を提案する。
また本発明では、請求項８において、前記枠体は直角三角形である屋内吊下装置を提案する。
さらに本発明では、請求項９において、前記枠体は鈍角三角形である屋内吊下装置を提案する。
【発明の効果】
【０００７】
本発明によれば、簡単に天井と家具との間を利用して、例えば洗濯物類を掛けることができ、構造も簡単であり、外観上も違和感はない。
【０００８】
請求項１によれば、家屋天井と直下に配した家具の頂部間の間隔に比較して大なる一辺を、前記家屋天井と直下に配した家具の頂部間に、前記隅角部のうちの一つの隅角部の外縁を前記家具の頂部上に載置して、他方の隅角部のうちの一方を天井に当てて残りの隅角部を前記家具前方に突出させた状態で係止する。
この状態で、家具前方に突出させた隅角部に物を吊下げることができる。
【０００９】
請求項２によれば、家具前方に突出させた隅角部における挿通穴に、物を吊下げる吊具を挿通して、物を吊下げることができる。
【００１０】
請求項３によれば、物を吊下げる際、隅角部における挿通穴に近接した外縁が幅狭に形成してあるので、吊具を挿通しやすい。
【００１１】
請求項４によれば、連結杆を、複数の枠体の挿通穴に挿通することで、前記枠体同士を連結することができる。これによって、枠体は、単体のときよりも安定した状態で家屋天井と家具の頂部間に係止させることができる。
その際前記枠体同士は、配置する家屋天井と直下に配した家具の頂部間の、横幅方向のスペースに応じ、複数の枠体の挿通穴に挿通した連結杆に沿って枠体を移動させることで、枠体間を調節することができる。
【００１２】
請求項５によれば、家屋天井と直下に配した家具の頂部間に、複数の枠体を、家屋天井と直下に配した家具の頂部間の間隔に比較して大なる辺の両端をもたらし、これら枠体の隅角部のうちの一つの隅角部の外縁を前記家具の頂部上に載置して、他方の隅角部のうちの一方を天井に当てて残りの隅角部を前記家具前方に突出させた状態で係止し、この家具前方に突出させた隅角部間を連結する連結杆に、簡単に多数の物を吊下げることができる。
【００１３】
請求項６によれば、枠体の外縁を、枠体の厚さに比較して幅広の端面としたことで、家具の頂部上や天井との接触面積を大きくして、家具や天井に局部的にかかる荷重を緩和することができる。
【００１４】
請求項７によれば、家屋天井と直下に配した家具の頂部間に、状況に応じて、連結杆を延ばしたり縮めたりして使用することができる。
【００１５】
請求項８によれば、枠体の隅角部のうちの直角をなす隅角部の外縁を、家具の頂部上に載置して、他方の隅角部のうちの一方を天井に当てて残りの隅角部を前記家具前方に突出させた状態で係止することができる。
【００１６】
請求項９によれば、枠体の隅角部のうちの鈍角をなす隅角部の外縁を、家具の頂部上に載置して、他方の隅角部のうちの一方を天井に当てて残りの隅角部を前記家具前方に突出させた状態で係止することができる。
【発明を実施するための最良の形態】
【００１７】
以下、本発明にかかる屋内吊下装置について、いくつか実施例を挙げ、添付の図面を基に説明する。
【実施例１】
【００１８】
図１、図２、図３に屋内吊下装置１を示す。この屋内吊下装置１は、少なくとも一辺が家屋天井Ｃと直下に配した家具Ｆの頂部間の間隔Ｄに比較して大なる外形略三角形状枠体２で構成している。
【００１９】
前記枠体２は、外形が隅角部を適宜な曲率半径の円角部とした直角三角形であって、適宜な合成樹脂で構成することができる。なお、枠体２は、一つの隅角部が鈍角である三角形でもよい。
かかる枠体２の内側箇所には、一角を欠いた三角形状通孔３を形成している（図４参照）。
【００２０】
また前記枠体２の外形をなす外縁２Ｅは、枠体２の肉厚に比較して幅広く構成し（図５参照）、直角をなす隅角部２Ａ以外の隅角部２Ａ，２Ａ近傍には、物を吊下げる例えば物干し４の吊具４ｆを挿通する挿通穴５を形成している。
【００２１】
さらに、前記枠体２の外縁２Ｅのうち、直角をなす隅角部２Ａを挟む二辺に対応した外縁２Ｅのそれぞれ先端側近傍に、すなわち、直角をなす隅角部２Ａ以外の隅角部２Ａ，２Ａ近傍に設けた挿通穴５，５に近接して、幅狭に形成した狭縁部６としている。
【００２２】
次に、前記枠体２において、外形を形作る３つの外縁２Ｅの長さと、枠体２を係止可能な、前記家屋天井Ｃと直下に配した家具Ｆの頂部間の間隔Ｄとの関係を説明する。
すなわち、前記３つの外縁２Ｅの長さを、図４に示すようにそれぞれＬ1，Ｌ2，Ｌ3（Ｌ1＜Ｌ2＜Ｌ3）とすると、Ｌ3は、直角をなす隅角部２Ａと対向する斜辺であるから、この屋内吊下装置１が使えるのは、Ｄ＜Ｌ1であり、またＬ1＜Ｄ＜Ｌ2という関係にあるときである。
逆に言えば、家屋天井Ｃと直下に配した家具Ｆの頂部間の間隔Ｄに応じて、Ｌ1，Ｌ2，Ｌ3を設定する。また、前記間隔Ｄに比較して家具Ｆの奥行きが小さければ、枠体２を前記家屋天井Ｃと直下に配した家具Ｆの頂部間に係止できないこともあるので、前記Ｌ1とＬ2との比率も考慮する必要がある。
というのは、枠体２を前記家屋天井Ｃと直下に配した家具Ｆの頂部間に係止する際、基本的には、枠体２の夾角のうち、最大の夾角を有する隅角部２Ａ側を家具Ｆの頂部上に載置する（ここでは直角をなす隅角部２Ａを前記家具Ｆの頂部上に載置）ようにして、他方の隅角部２Ａのうちの一方を天井Ｃに当てて残りの隅角部２Ａを前記家具Ｆ前方に突出させた状態として係止するからである。その際、前記家具Ｆの頂部上に接した直角をなす隅角部２Ａの位置は、前記家屋天井Ｃに接した他方の隅角部２Ａのうちの一方の位置よりも、家具Ｆの頂部の手前寄りとなるようにしている（図６参照）。
そして、この家具Ｆ前方に突出させた隅角部２Ａにおける挿通穴５に、前記物干し４の吊具４ｆを挿通して、物干し４に吊した洗濯物の重みで、枠体２を前記家屋天井Ｃと直下に配した家具Ｆの頂部間に、脱落しないように係止するようにしている（図１、図２参照）。
いずれにしても、使用できる範囲を広くするには、異なった寸法、比率の枠体２を備えておくとよい。
【００２３】
なお、前記物干し４は、吊手である吊具４ｆがあれば、構造は適宜である。
【００２４】
以上のような屋内吊下装置１において、家屋天井Ｃと直下に配した家具Ｆの頂部間の間隔Ｄに応じて、枠体２のうち、枠体２の直角をなす隅角部２Ａを挟む二辺から一辺を選ぶ。その選んだ一辺を前記家屋天井Ｃと直下に配した家具Ｆの頂部間に挟み込むように枠体２を装入する（図１、図２参照）。
この際、隅角部２Ａのうちの直角をなす隅角部２Ａを、家具Ｆの頂部の手前寄りとなるように前記家具Ｆの頂部上に載置し、選択した一辺に対応する他方の隅角部２Ａ側を、家具Ｆの頂部側に接した位置より後方の天井Ｃに当てるように配置するので、この挟み込んだ辺以外の辺に対応する残りの隅角部２Ａは、前記家具Ｆ前方に突出することとなる。
なお、前記枠体２は、枠体２の肉厚より幅広な外縁２Ｅをもって、それぞれ家具Ｆの頂部、天井Ｃに接触するので、安定性は問題ない。
また、異なった寸法、外縁寸法の比率の枠体２を備えておけば、使用できる範囲は広がる。
【００２５】
以上のような状態で、家具Ｆ前方に突出させた隅角部２Ａにおける挿通穴５に、物干し４の吊具４ｆを挿通して物干し４を吊下げる。このとき、挿通穴５近傍の外縁２Ｅには、幅狭に形成した狭縁部６があるため、前記吊具４ｆを、狭縁部６を介して前記挿通穴５に無理なく挿通することができる。
そして、前記物干し４を吊下げると、物干し４に吊した洗濯物の重みが、枠体２の接触箇所にかかり、前記枠体２は、いっそう安定して、前記家屋天井Ｃと直下に配した家具Ｆの頂部間に、脱落することなく係止することができる。
【００２６】
以上のように、屋内吊下装置１は、枠体２の直角をなす隅角部２Ａを挟む二辺の長さに応じた範囲で家屋天井Ｃと直下に配した家具Ｆの頂部間に、枠体２を係止させることができるので、天井Ｃおよび家具Ｆの強度があり、家具Ｆの頂部が平坦であれば、場所を選ばず、使用することができる。
【００２７】
さらに、前記枠体２は、隅角部２Ａに挿通穴５を設けたことで、図７に示すように、前記枠体２を複数用意し、適宜な長さの前記挿通穴５に挿通可能な連結杆７を用意すれば、前記連結杆７により、複数の枠体２の挿通穴５に挿通することで、前記枠体２同士を連結することができる。これによって、枠体２は、単体のときよりも安定した状態で家屋天井Ｃと家具Ｆの頂部間に係止させることができる。
その際前記枠体２同士は、配置する家屋天井Ｃと直下に配した家具Ｆの頂部間の、横幅方向のスペースに応じ、複数の枠体２の挿通穴５に挿通した連結杆７に沿って枠体２を移動させることで、枠体２間を調節することができる。
これにより、より多くの物干し４を吊下げることができる。
【実施例２】
【００２８】
本発明にかかる屋内吊下装置１は、以下のように実施することもできる。ここで、前述の屋内吊下装置１と実質的に同様な構成要素には、同符号を付して、その説明を省略するものとする。
すなわち、図８に示す屋内吊下装置１では、二つの外形略三角形状枠体２を、伸縮機能を有する連結杆７により、連結して構成している。
家屋天井Ｃと直下に配した家具Ｆの頂部間に、前記双方の枠体２の隅角部２Ａのうちの直角をなす隅角部２Ａの外縁２Ｅを前記家具Ｆの頂部上に載置して、他方の隅角部２Ａのうちの一方を天井Ｃに当てて残りの隅角部２Ａを前記家具Ｆ前方に突出させた状態で係止し、この家具Ｆ前方に突出させた隅角部２Ａ間を連結する連結杆７に、物干し４を吊下げる吊具４ｆを係止する構成としている。
【００２９】
前記連結杆７はパイプ材で構成し、例えば図８に示すように、第１パイプ７ａを第２パイプ７ｂに進退可能に連結し、所望の位置で第２パイプ７ｂを固定するロック手段８を備えている。ロック手段８は、例えば第２パイプ７ｂ外側から内側に螺刻したねじ穴（図示省略）に、進退可能に螺着したロックねじ９で構成している。
なお、これら、図で示した連結杆７、ロック手段８は、一例であり、周知の他の構成のものでもよい。
【００３０】
以上のような屋内吊下装置１によれば、家屋天井Ｃと直下に配した家具Ｆの頂部間に、双方の枠体２を挟み込む際、その家屋天井Ｃと直下に配した家具Ｆの頂部間の間隔Ｄや、幅方向を加味したスペースを考慮する。
先ず、間隔Ｄに比較して大なる辺を選択する。次いで、幅方向を加味したスペースを見て、前記双方の枠体２間を、連結杆７の長さを調節することで対応することができる。
【００３１】
そして、双方の枠体２の隅角部２Ａのうちの直角をなす隅角部２Ａの外縁２Ｅを前記家具Ｆの頂部上に載置して、選択した一辺に対応する他方の隅角部２Ａ側を天井Ｃに当てて係止すると、この挟み込んだ辺以外の辺に対応する残りの隅角部２Ａは、前記家具Ｆ前方に突出することとなる。
【００３２】
すると、前記家具Ｆ前方に突出した双方の枠体２の隅角部２Ａを連結する連結杆７が前記家具Ｆ前方で、屋内吊下装置１の幅方向（水平方向）に展開するので、この連結杆７によって物を吊下げるためのスペースが確保され、多数の物干し４他、様々な物を吊下げることができる。
【００３３】
また、このような構成の屋内吊下装置１によれば、家屋天井Ｃと直下に配した家具Ｆの頂部間に、双方の枠体２により、４箇所で支持されるため、それだけ安定感が高く、また、多くの物を吊下げることができるという効果を奏することができる。
【００３４】
以上、本発明にかかる屋内吊下装置１について、実施例１、実施例２を挙げて説明したが、屋内吊下装置１はこれら実施例に限らず、例えば枠体２の形状として、挟角が９０度以上の鈍角三角形でもよい。
また枠体２の隅角部２Ａ近傍の挿通穴５に、物干し４を吊下げる吊具４ｆを係止する実施例を挙げたが、枠体２の挿通穴５は一つの実施例であって、これに限らず、挿通穴５がなくてもよい。この場合、隅角部２Ａの外縁２Ｅに適当なクランプ手段で物干しを取り付けるようにしてもよい。
さらに、家屋天井Ｃと直下に配した家具Ｆの頂部間の幅方向のスペースが許されれば、２つの枠体２に限らず、３つ以上、連結杆７で連結する構成としてもよい。
【図面の簡単な説明】
【００３５】
【図１】本発明にかかる屋内吊下装置である枠体を、家屋天井と直下に配した家具の頂部間に配置した一例を示す、斜視説明図である。
【図２】本発明にかかる屋内吊下装置である枠体を、家屋天井と直下に配した家具の頂部間に配置した一例を示す、斜視説明図である。
【図３】本発明にかかる屋内吊下装置である枠体の、斜視説明図である。
【図４】本発明にかかる屋内吊下装置である枠体の、平面図である。
【図５】図４に示す枠体のＺ−Ｚ線に沿って切断してみた、切断矢視図である。
【図６】本発明にかかる屋内吊下装置である枠体の、家屋天井と直下に配した家具の頂部間への配置の仕方を示した一例の模式図である。
【図７】本発明にかかる屋内吊下装置の別の実施の態様を示す、斜視説明図である。
【図８】本発明にかかる屋内吊下装置の別の実施の態様を示す、斜視説明図である。
【符号の説明】
【００３６】
１                      屋内吊下装置
２                      枠体
２Ｅ                    外縁
２Ａ                    隅角部
３                      通孔
４                      物干し
４ｆ                    吊具
５                      挿通穴
６                      狭縁部
７                      連結杆
７ａ                    第１パイプ
７ｂ                    第２パイプ
８                      ロック手段
９                      ロックねじ
Ｃ                      天井
Ｆ                      家具
Ｄ                      間隔
【図１】
2005111005.tif 000003
【図２】
2005111005.tif 000004
【図３】
2005111005.tif 000005
【図４】
2005111005.tif 000006
【図５】
2005111005.tif 000007
【図６】
2005111005.tif 000008
【図７】
2005111005.tif 000009
【図８】
2005111005.tif 000010